(57)【要約】
【課題】落下に起因するディスク収容ケースの破損を防止しつつ、各種タイプのディスク収容ケースを用いて製造可能なラベル貼付装置を提供する。
【解決手段】ディスク保持部１５が形成されたケース本体１２、およびケース本体１２に軸支されると共にインデックスカード保持部が形成された蓋体１３を有するディスク収容ケース１１と、ラベル紙を載置可能に形成された載置台２、およびラベル紙を保持するラベル保持部３を有して蓋体１３のインデックスカード保持部に固定されたラベル保持具１とを備えて、ケース本体１２を蓋体１３に対して相対的に回動させて上面開口部位を閉塞することによってラベル紙をディスク体に貼付可能に構成され、ラベル保持具１は、弾性を有する両面粘着シート５，５・・によってインデックスカード保持部に固定されている。
【選択図】図１
0003100270.tif 000002
【実用新案登録請求の範囲】
【請求項１】
　ディスク体における中央孔の口縁と係合して当該ディスク体を保持するディスク保持部が形成されたケース本体、および当該ケース本体に軸支されて当該ケース本体の上面開口部位を閉塞すると共にインデックスカードを保持可能なインデックスカード保持部が形成された蓋体を有するディスク収容ケースと、
　中央孔が形成されたラベル紙を載置可能にその上面が平坦に形成された載置台、および前記中央孔の口縁に当接して前記載置台上のラベル保持位置に前記ラベル紙を位置決めしつつ保持するラベル保持手段を有して前記蓋体の前記インデックスカード保持部に固定されたラベル保持具とを備えて、前記ケース本体を前記蓋体に対して相対的に回動させて前記上面開口部位を閉塞することによって当該ラベル保持具によって保持されている前記ラベル紙を当該ケース本体によって保持されているディスク体に貼付可能に構成され、
　前記ラベル保持具は、弾性を有する接着部材によって前記インデックスカード保持部に固定されているラベル貼付装置。
【請求項２】
　前記接着部材は、弾性部材の両面に粘着剤層が形成された両面粘着シートで構成されている請求項１記載のラベル貼付装置。
【請求項３】
　前記ラベル保持具は、前記載置台が方形状に形成されると共に当該載置台の四隅が前記接着部材によって前記蓋体に固定されている請求項１または２記載のラベル貼付装置。
【請求項４】
　前記蓋体は、方形状の天板における四辺に沿って側壁がそれぞれ立設されて浅皿状に形成され、
　前記ラベル保持具は、前記載置台と前記蓋体の前記側壁との間に隙間が形成されるようにして前記接着部材によって前記インデックスカード保持部に固定されている請求項１から３のいずれかに記載のラベル貼付装置。
【請求項５】
　前記ラベル保持具は、前記蓋体における前記ケース本体によって軸支される側の両角部において前記載置台の角部が当該蓋体における前記側壁の内面にそれぞれ当接した状態で前記インデックスカード保持部に固定されている請求項４記載のラベル貼付装置。
【考案の詳細な説明】
【技術分野】
【０００１】
　本考案は、ディスク体に貼付するラベル紙を保持可能なラベル保持具がディスク収容ケースにおける蓋体のインデックスカード保持部に固定されて構成されたラベル貼付装置に関するものである。
【背景技術】
【０００２】
　この種のラベル貼付装置として、特開２００１−７６３８６号公報に開示されているラベル貼付装置が従来から知られている。このラベル貼付装置は、同公報の図４に示すように、光ディスク４（ディスク体）を保持するディスク位置決め突部５が中央部に形成されたケース本体１と、回動軸７（同公報の図２参照）を介してケース本体１に軸支された回動蓋２と、回動蓋２に装着可能な板状部材３（ラベル保持具）とを備えて、光ディスク４にラベル１８を貼付可能に構成されている。この場合、ラベル１８には、その裏面に粘着剤層２１が形成されると共に、円形の中央開口部２７が形成されている。また、板状部材３には、ラベル１８の中央開口部２７に嵌入してラベル１８を位置決めするラベル位置決め突部１３が形成されている。この場合、ラベル位置決め突部１３の直径は、ラベル１８の中央開口部２７と同径に形成されている。
【０００３】
　このラベル貼付装置を用いて光ディスク４にラベル１８を貼付する際には、まず、回動蓋２に板状部材３を取り付ける。具体的には、同公報の図３に示すように、回動蓋２の突片１１，１１・・上に板状部材３の切欠部１７，１７・・を位置させた状態で板状部材３を下動させて回動蓋２の底壁２５に板状部材３を面的に接触させる。次に、回動蓋２に対して板状部材３をスライドさせて、第１ストッパー８に当接させる。これにより、回動蓋２の底壁２５と突片１１，１１・・とによって板状部材３が挟持され、かつ、第１ストッパー８および第２ストッパー９によって板状部材３のスライドが規制されて板状部材３の取り付けが完了する。次に、光ディスク４をケース本体１に装着すると共に、粘着剤層２１を上向きにしてラベル１８を板状部材３にセットする。次いで、回動蓋２に対してケース本体１を回動させて閉じることにより、ラベル１８の粘着剤層２１が光ディスク４の表面に密着して光ディスク４に対するラベル１８の貼付が完了する。
【特許文献１】特開２００１−７６３８６号公報（第３−５頁、図２−４）
【考案の開示】
【考案が解決しようとする課題】
【０００４】
　ところが、従来のラベル貼付装置には、以下の問題点がある。すなわち、従来のラベル貼付装置では、回動蓋２に対して板状部材３をスライドさせることによって回動蓋２の底壁２５と突片１１，１１・・とで板状部材３を挟持してインデックスカード保持部に保持させる構成が採用されている。一方、近年のディスク収容ケースには、インデックスカード保持部の形状が上記の回動蓋２とは相違するタイプのものが存在する。具体的には、例えば、図５に示すディスク収容ケース（以下、「収容ケース」ともいう）１１は、その蓋体１３が天板１３ａと側壁１３ｂ，１３ｂ・・とで浅皿状に形成されると共に、インデックスカードを矢印Ｄの向きでスライドさせるようにしてインデックスカード保持部に挿入可能に構成されている。この場合、インデックスカード保持部に収容するインデックスカードは、紙等の撓みやすい素材で形成されている。このため、インデックスカード全体を撓ませるようにして天板１３ａと保持片１３ｃ，１３Ｃ・・との間にスライドさせるようにして挿入することが可能となっている。しかし、前述した板状部材３は、樹脂材料で比較的厚手に形成されている。したがって、板状部材３をインデックスカードと同様にして撓ませるようにして挿入することが困難なため、従来のラベル貼付装置には、板状部材３（ラベル保持具）を収容ケース１１のようなタイプの蓋体（蓋体１３）に取り付けるのが困難であるという問題点が存在する。
【０００５】
　この場合、ラベル保持具をインデックスカードよりも小さく形成して、例えば揮発系溶剤型の接着剤を用いて収容ケース１１における蓋体１３の天板１３ａに接着して固定する構成が考えられる。しかし、接着剤によってラベル保持具を蓋体１３に接着する構成を採用した場合、ラベル保持具と蓋体１３とが一体化することによって蓋体１３が変形し難くなるため、ラベル貼付装置を落下させた際などに蓋体１３が容易に破損する。また、接着剤等によってラベル保持具を接着した場合には、接着作業後において、接着剤が硬化するまで放置する必要がある。このため、１つのラベル貼付装置を製造するのに長時間を必要とする。さらに、この種のディスク収容ケースは、一般的に、透過性を有する樹脂材料で射出成形されているため、ラベル保持具の接着部位が蓋体１３を透して見える結果、ラベル貼付装置の美観が損なわれるという問題点もある。
【０００６】
　本考案は、かかる問題点に鑑みてなされたものであり、落下に起因するディスク収容ケースの破損を防止しつつ、各種タイプのディスク収容ケースを用いて製造可能なラベル貼付装置を提供することを主目的とする。また、その美観を損ねることなく、迅速かつ容易にラベル保持具を蓋体に固定し得るラベル貼付装置を提供することを他の目的とする。
【課題を解決するための手段】
【０００７】
　上記目的を達成すべく本考案にラベル貼付装置は、ディスク体における中央孔の口縁と係合して当該ディスク体を保持するディスク保持部が形成されたケース本体、および当該ケース本体に軸支されて当該ケース本体の上面開口部位を閉塞すると共にインデックスカードを保持可能なインデックスカード保持部が形成された蓋体を有するディスク収容ケースと、中央孔が形成されたラベル紙を載置可能にその上面が平坦に形成された載置台、および前記中央孔の口縁に当接して前記載置台上のラベル保持位置に前記ラベル紙を位置決めしつつ保持するラベル保持手段を有して前記蓋体の前記インデックスカード保持部に固定されたラベル保持具とを備えて、前記ケース本体を前記蓋体に対して相対的に回動させて前記上面開口部位を閉塞することによって当該ラベル保持具によって保持されている前記ラベル紙を当該ケース本体によって保持されているディスク体に貼付可能に構成され、前記ラベル保持具は、弾性を有する接着部材によって前記インデックスカード保持部に固定されている。
【０００８】
　この場合、弾性部材の両面に粘着剤層が形成された両面粘着シートで前記接着部材を構成するのが好ましい。
【０００９】
　また、前記ラベル保持具の前記載置台を方形状に形成すると共に当該載置台の四隅を前記接着部材によって前記蓋体に固定するのが好ましい。
【００１０】
　さらに、方形状の天板における四辺に沿って側壁をそれぞれ立設して前記蓋体を浅皿状に形成し、前記載置台と前記蓋体の前記側壁との間に隙間が形成されるようにして前記接着部材によって前記インデックスカード保持部に前記ラベル保持具を固定するのが好ましい。
【００１１】
　この場合、前記蓋体における前記ケース本体によって軸支される側の両角部において前記載置台の角部を当該蓋体における前記側壁の内面にそれぞれ当接させた状態で前記インデックスカード保持部に前記ラベル保持具を固定するのが好ましい。
【考案の効果】
【００１２】
　本考案に係るラベル貼付装置によれば、弾性を有する接着部材によってインデックスカード保持部にラベル保持具を固定したことにより、ラベル保持具を撓ませることなくインデックスカード保持部に固定することができる。したがって、インデックスカード保持部の形状（インデックスカードを保持する構成）が異なる各種タイプのディスク収容ケースを用いてラベル貼付装置を製造することができる。また、接着部材の弾性変形によって蓋体がある程度自由に変形可能なため、落下時等における蓋体の破損をある程度回避でき、また、破損が発生した場合であっても、その破損の程度を軽減することができる。
【００１３】
　また、本考案に係るラベル貼付装置によれば、両面粘着シートを接着部材として用いたことにより、蓋体に対するラベル保持具の固定作業を迅速かつ容易に行うことができる。したがって、ラベル貼付装置の製造コストを十分に低減することができる。また、接着剤等によって接着する構成とは異なり、蓋体を透して両面粘着シートが見えたとしてもラベル貼付装置の美観が損ねられる事態を回避することができる。
【００１４】
　さらに、本考案に係るラベル貼付装置によれば、接着部材によって載置台の四隅を蓋体に固定したことにより、蓋体にラベル保持具を確実に固定することができる。
【００１５】
　また、本考案に係るラベル貼付装置によれば、載置台と蓋体の側壁との間に隙間が形成されるようにラベル保持具を固定したことにより、蓋体が一層容易に変形可能なため、ラベル貼付装置の落下時等における蓋体の破損を十分に回避することができる。
【００１６】
　さらに、本考案に係るラベル貼付装置によれば、蓋体におけるケース本体に軸支されている側の両角部において載置台の角部を側壁の内面にそれぞれ当接させた状態で固定したことにより、ラベル保持具を固定すべき位置に位置決めした状態で蓋体に固定することができる。このため、ケース本体のディスク保持部によって保持されている状態のディスク体に対して、ラベル保持具によって保持されたラベル紙を偏心させることなく貼付することができる。
【考案を実施するための最良の形態】
【００１７】
　以下、添付図面を参照して、本考案に係るラベル貼付装置の最良の形態について説明する。
【００１８】
　最初に、ラベル貼付装置Ｓ１の構成について、図面を参照して説明する。
【００１９】
　図１に示すラベル貼付装置Ｓ１は、一例として、その直径が１２ｃｍのＣＤ−ＲやＣＤ−ＲＷなどの光ディスク（本考案におけるディスク体）にラベル紙を貼付可能に構成され、ラベル保持具１と収容ケース１１とを備えている。この場合、光ディスク（図示せず）には、その中央部に直径１５ｍｍ程度のクランプ（チャッキング）用の中心孔が形成されると共に、その中心孔の周囲には、幅１〜１３ｍｍ程度のクランプエリアが設けられている。また、ラベル紙（図示せず）は、その裏面に粘着剤層が形成されて台紙に貼付されると共に、その中央部には、光ディスクに貼付された状態においてクランプエリアを露出させるための中央孔が形成されて光ディスクに貼付可能に構成されている。この中央孔の内径は、１７ｍｍ以上４１ｍｍ以下の範囲内で製造メーカや製品タイプ毎に様々に異なっている。また、この種のラベル紙は、その表面に筆記具や印刷機によって各種記号や図柄を書込み（印刷）可能に構成されている。
【００２０】
　収容ケース１１は、図５に示すように、ケース本体１２、蓋体１３およびディスクトレイ（以下、「トレイ」ともいう）１４を備えている。ケース本体１２は、トレイ１４と相俟って本考案におけるケース本体を構成し、その底板１２ａに側壁１２ｂ，１２ｂ，１２ｂが立設されてトレイ１４を取付け可能な浅皿状に形成されている。また、ケース本体１２には、蓋体１３を回動可能に軸支するための孔（図示せず）が形成されている。蓋体１３は、天板１３ａの四辺に沿って側壁１３ｂ，１３ｂ・・が立設されて浅皿状に形成されている。また、側壁１３ｂには、天板１３ａと相俟ってインデックスカード（図示せず）を保持するインデックスカード保持片（以下、「保持片」ともいう）１３ｃ，１３ｃ・・が形成されている。この場合、蓋体１３の天板１３ａ、側壁１３ｂ，１３ｂおよび保持片１３ｃ，１３ｃ・・によって本考案におけるインデックスカード保持部が構成される。また、蓋体１３の角部Ｃ１，Ｃ２には、ケース本体１２に取り付けるための回動軸１３ｄ，１３ｄ（図４参照）が形成されている。トレイ１４は、光ディスクを保持するためのディスク保持部１５を備えている。この場合、ディスク保持部１５は、光ディスクにおける中心孔の口縁と係合して光ディスクをトレイ１４に保持するための複数のディスク保持片（以下、「保持片」ともいう）１５ａ，１５ａ・・を備えて構成されている。
【００２１】
　一方、図１に示すように、ラベル保持具１は、収容ケース１１における蓋体１３に取り付け可能に全体としてインデックスカードと同様の矩形状に形成されている。また、図２に示すように、ラベル保持具１は、載置台２、ラベル保持部（以下、「保持部」ともいう）３および案内板４を備えている。載置台２は、蓋体１３の四隅においてラベル保持具１を天板１３ａに固定するためのベース部２１ａ〜２１ｄと、ラベル紙を載置可能にその上面が平坦に形成された円板状の載置部２２とが樹脂材料で一体成形されている。この場合、載置部２２には、保持部３のスライド板２５，２５，２５を載置部２２の中心部に対して内向きおよび外向き（同図における矢印Ｂ２，Ｂ２，Ｂ２の方向）に案内するための３本の案内溝が形成されている。
【００２２】
　保持部３は、３つのスライド板２５，２５，２５を備えて構成されている。また、スライド板２５の表面には、ラベル保持片（以下、「保持片」ともいう）２６が立設されると共に、その裏面には、案内板４に形成されているスリット４ａの口縁部と係合可能な係合部２５ａが立設されている。この場合、保持片２６は、その上面視が円弧状に形成されている。また、各保持片２６，２６，２６が互いに接している状態（図２に示す状態）では、各保持片２６，２６，２６によってその直径が１７ｍｍのリング体が形成される。さらに、後述するようにスライド板２５，２５，２５が載置台２に対してスライドさせられて各保持片２６，２６，２６が最も離間させられた状態（図示せず）では、各保持片２６，２６，２６の最外縁部を通過する仮想円の直径が４１ｍｍ程度となる。したがって、このラベル保持具１では、載置台２に対するスライド板２５のスライド量を適宜調節することで、その内径が１７ｍｍ以上４１ｍｍ以下の範囲内の径で中央孔が形成された各種のラベル紙を保持することが可能となっている。
【００２３】
　案内板４は、載置台２に対してスライド板２５，２５，２５をスライドさせるための部材であって、全体として円板状に形成されて載置台２に対して回動可能に取り付けられている。この案内板４には、載置部２２の側方に突出させられるつまみ２８が形成されると共に、係合部２５ａが係合させられた状態の各スライド板２５，２５，２５をそれぞれ図２に示す矢印Ｂ２の向きでスライドさせるための３本のスリット４ａ，４ａ，４ａが形成されている。なお、前述した保持部３と案内板４とによって本考案におけるラベル保持手段が構成される。
【００２４】
　このラベル貼付装置Ｓ１では、図３に示すように、ラベル保持具１が蓋体１３の天板１３ａとの間に隙間が形成されるようにして両面粘着シート５，５・・によって固定されている。この場合、両面粘着シート５は、本考案における接着部材の一例であって、シート状弾性部材（一例として、発泡ウレタンシート）の両面に粘着剤層が形成されて構成されている。また、図４に示すように、ラベル保持具１は、蓋体１３における収容ケース１１に軸支されている側（回動軸１３ｄ，１３ｄが形成されている側）の両角部（角部Ｃ１，Ｃ２）においてそのベース部２１ａ，２１ｂの角部が側壁１３ｂ，１３ｂの内面に当接させられた状態で蓋体１３に固定されている。さらに、図１に示すように、上記の当接部位などを除き、ベース部２１ａ〜２１ｄと側壁１３ｂ，１３ｂ・・との間には、極く小さな隙間が形成されるように構成されている。
【００２５】
　このラベル貼付装置Ｓ１の組み立てに際しては、まず、ラベル保持具１のベース部２１ａ〜２１ｄに両面粘着シート５を貼付する。次に、図３に示すように、ベース部２１ａ，２１ｂを蓋体１３の角部Ｃ１，Ｃ２の側に位置させるようにして、蓋体１３における天板１３ａと保持片１３ｃ，１３ｃとの間にベース部２１ａ，２１ｂを挿入する。この際に、図４に示すように、ベース部２１ａ，２１ｂの角部が角部Ｃ１，Ｃ２において蓋体１３の側壁１３ｂ，１３ｂの内壁面に当接する結果、蓋体１３に対してラベル保持具１が位置決めされる。次いで、ラベル保持具１を下動させてベース部２１ａ〜２１ｄに貼付されている両面粘着シート５，５・・を蓋体１３に面的に接触させた後に、天板１３ａとベース部２１ａ〜２１ｄとを接近させる向きで例えば指によって押圧する。これにより、両面粘着シート５，５・・が天板１３ａに密着して蓋体１３に対するラベル保持具１の固定が完了して、ラベル貼付装置Ｓ１が完成する。この場合、このラベル貼付装置Ｓ１では、両面粘着シート５，５・・によってラベル保持具１を蓋体１３に固定する構成のため、ラベル保持具１を撓ませることなく蓋体１３に固定することが可能となっている。
【００２６】
　また、このラベル貼付装置Ｓ１では、例えば揮発系溶剤型の接着剤を用いてラベル保持具１を蓋体１３に接着した構成とは異なり、両面粘着シート５，５・・の弾性変形によって蓋体１３がラベル保持具１とは別個にある程度自由に変形可能な構成となっている。さらに、このラベル貼付装置Ｓ１では、ラベル保持具１の載置台２（ベース部２１ａ〜２１ｄ）と天板１３ａとの間や、ベース部２１ａ〜２１ｄと側壁１３ｂ，１３ｂ・・との間に隙間が形成されている。したがって、載置台２（ベース部２１ａ〜２１ｄ）を天板１３ａおよび側壁１３ｂ，１３ｂ・・に密着させた構成と比較して、蓋体１３の変形が一層容易となっている。
【００２７】
　次いで、ラベル貼付装置Ｓ１の使用方法について、図面を参照して説明する。
【００２８】
　まず、台紙に貼付された状態のラベル紙に、貼付対象の光ディスクに記録された記録データの内容等をプリンタなどで印刷する。次に、収容ケース１１のケース本体１２（トレイ１４）に、表面（ラベル紙を貼付する側の面）を上向きにして光ディスクを取り付ける。この際に、ディスク保持部１５の保持片１５ａ，１５ａ・・と光ディスクにおける中心孔の口縁部とが係合して、光ディスクがケース本体１２によって保持される。次に、ラベル保持具１の案内板４を図２に示す矢印Ｂ１の向き（時計方向の向き）で載置台２に対して回動させてスライド板２５，２５，２５をスライドさせ、各保持片２６，２６，２６が互いに接している状態にする。次いで、台紙から剥がしたラベル紙を、保持片２６がラベル紙の中央孔に嵌入され、かつ粘着剤層が上向きとなるようにしてラベル保持具１における載置台２の上に載置する。
【００２９】
　次に、図２に示す矢印Ｂ１の向き（反時計方向の向き）で案内板４を載置台２に対して回動させる。この際には、案内板４のスリットに係合させられているスライド板２５の係合部２５ａが同図に示す矢印Ｂ２の向き（この場合、外向き）で移動させられる。この結果、案内溝に嵌入されているスライド板２５，２５，２５が矢印Ｂ２の向き（外向き）に互いに等しい距離（同等の距離）だけスライドさせられて、保持片２６，２６，２６がラベル紙における中央孔の口縁部に当接する。この場合、各スライド板２５，２５，２５が載置台２の中央に対して互いに等しい距離（同等の距離）だけスライドさせられているため、保持片２６，２６，２６が載置台２の中央から互いに等しい距離に配置される。したがって、保持片２６，２６，２６の外壁面が中央孔の口縁部に当接した状態のラベル紙は、保持片２６，２６，２６によって載置台２の中央部（本考案におけるラベル保持位置）に位置決めされた状態で保持される。
【００３０】
　次いで、この状態の蓋体１３に対してケース本体１２を回動させる。この際には、トレイ１４のディスク保持部１５によって保持された光ディスクが、蓋体１３に取り付けたラベル保持具１によって保持されているラベル紙の上方に位置させられる。続いて、ケース本体１２の底板１２ａと蓋体１３の天板１３ａとを互いに接近させるようにして収容ケース１１を全面に亘って押圧することにより、光ディスクの表面にラベル紙の粘着剤層が密着させられる。次いで、蓋体１３に対してケース本体１２を回動させて収容ケース１１を開放する。これにより、ディスク保持部１５によって保持された状態の光ディスクにラベル紙が貼付されて作業が完了する。
【００３１】
　このように、このラベル貼付装置Ｓ１によれば、弾性を有する両面粘着シート５，５・・によって蓋体１３のインデックスカード保持部にラベル保持具１を固定したことにより、ラベル保持具１を撓ませることなくインデックスカード保持部に固定することができる。したがって、インデックスカード保持部の形状（インデックスカードを保持する構成）が異なる各種タイプのディスク収容ケースを用いてラベル貼付装置を製造することができる。また、両面粘着シート５，５・・の弾性変形によって蓋体１３がある程度自由に変形可能なため、落下時等における蓋体１３の破損をある程度回避でき、また、破損が発生した場合であっても、その破損の程度を軽減することができる。この場合、両面粘着シートを接着部材として用いたことにより、蓋体１３に対するラベル保持具１の固定作業を迅速かつ容易に行うことができる。したがって、ラベル貼付装置Ｓ１の製造コストを十分に低減することができる。また、接着剤等によって接着する構成とは異なり、蓋体１３を透して両面粘着シート５が見えたとしてもラベル貼付装置Ｓ１の美観が損ねられる事態を回避することができる。
【００３２】
　さらに、このラベル貼付装置Ｓ１によれば、接着部材によって載置台の四隅を蓋体に固定したことにより、蓋体１３にラベル保持具１を確実に固定することができる。
【００３３】
　また、このラベル貼付装置Ｓ１によれば、載置台と蓋体の側壁との間に隙間が形成されるようにラベル保持具を固定したことにより、蓋体１３が一層容易に変形可能なため、ラベル貼付装置Ｓ１の落下時等における蓋体１３の破損を十分に回避することができる。
【００３４】
　さらに、このラベル貼付装置Ｓ１によれば、蓋体におけるケース本体に軸支されている側の両角部において載置台の角部を側壁の内面にそれぞれ当接させた状態で固定したことにより、ラベル保持具１を固定すべき位置に位置決めした状態で蓋体１３に固定することができる。このため、ケース本体１２（トレイ１４）のディスク保持部１５によって保持されている状態の光ディスクに対して、ラベル保持具１によって保持されたラベル紙を偏心させることなく貼付することができる。
【００３５】
　なお、本考案は、上記した構成に限定されない。例えば、両面粘着シート５，５・・によってラベル保持具１を収容ケース１１の蓋体１３に固定する例について上記したが、本考案はこれに限定されず、硬化状態で弾性を有する各種の接着剤（本考案における接着部材の他の一例）によってラベル保持具１を蓋体１３に固定する構成を採用することができる。また、直径１２ｃｍのＣＤ−ＲやＣＤ−ＲＷをラベル紙の貼付対象とする例について説明したが、本考案におけるディスク体の直径は１２ｃｍに限定されず、さらに、その種類もＣＤ−ＲやＣＤ−ＲＷのみならず、ＣＤ−ＲＯＭ、ＤＶＤ−ＲＯＭ、ＤＶＤ−ＲおよびＤＶＤ−ＲＷなどの各種のディスク体を貼付対象とすることができる。さらに、本考案におけるディスク体は、光ディスクなどのディスク状記録媒体に限定されず、記録媒体以外の各種ディスク体がこれに含まれる。また、本考案におけるディスク収容ケースは、ケース本体１２、蓋体１３およびトレイ１４からなる収容ケース１１に限定されず、その内底面にディスク保持部１５が直接形成されたケース本体と、ラベル保持具１を保持可能な蓋体とからなるディスク収容ケースもこれに含まれる。
【図面の簡単な説明】
【００３６】
【図１】ラベル貼付装置Ｓ１の平面図である。
【図２】ラベル貼付装置Ｓ１におけるラベル保持具１の平面図である。
【図３】図１におけるＡ−Ａ線断面図である。
【図４】蓋体１３の角部Ｃ１，Ｃ２近傍およびラベル保持具１の平面図である。
【図５】収容ケース１１の平面図である。
【符号の説明】
【００３７】
　　　１　ラベル保持具
　　　２　載置台
　　　３　ラベル保持部
　　　４　案内板
　　　５　両面粘着シート
　　１１　ディスク収容ケース
　　１２　ケース本体
　　１３　蓋体
　１３ａ　天板
　１３ｂ　側壁
　１３ｃ　保持片
　１３ｄ　回動軸
　　１４　ディスクトレイ
　　１５　ディスク保持部
　２１ａ〜２１ｄ　ベース部
　　２２　載置部
　　Ｃ１，Ｃ２　角部
　　Ｓ１　ラベル貼付装置
【図１】
0003100270.tif 000003
【図２】
0003100270.tif 000004
【図３】
0003100270.tif 000005
【図４】
0003100270.tif 000006
【図５】
0003100270.tif 000007